(57)【要約】  ワイヤレス通信ネットワークにおいて測位基準信号をブラインドで決定するための方法が、入力信号の各サブフレームの所定のロケーションからＰＲＳエネルギーを推定することによって、測位基準信号（ＰＲＳ）ネットワーク構成を決定する。そのような方法はまた、推定されたＰＲＳエネルギーに基づいてＰＲＳパラメータをブラインド検出することを含み得る。ＰＲＳエネルギーは、深い探索または確認のためのピークエネルギー応答であり得る。ＰＲＳエネルギーは、浅い探索に対する信号と信号プラス雑音との比であり得る。
2016533130.tif 000002
【特許請求の範囲】
【請求項１】
測位基準信号（ＰＲＳ）ネットワーク構成を決定するための方法であって、
入力信号の各サブフレームの所定のロケーションからＰＲＳエネルギーを推定することと、
前記推定されたＰＲＳエネルギーに少なくとも部分的に基づいてＰＲＳパラメータをブラインド検出することと、
を備える方法。
【請求項２】
前記ＰＲＳエネルギーはＰＲＳピークエネルギー応答を備える、請求項１に記載の方法。
【請求項３】
前記ＰＲＳピークエネルギー応答を推定することは、複数の周波数トーンにわたってピークエネルギー応答を観測することを備え、
ＰＲＳパラメータをブラインド検出することは、前記観測に少なくとも部分的に基づいてＰＲＳ帯域幅パラメータを決定することを備える、請求項２に記載の方法。
【請求項４】
前記ＰＲＳピークエネルギー応答を推定することは、
無線フレーム内で、しきい値を超えるピークエネルギー応答を有する第１のサブフレームを観測することを備え、
ＰＲＳパラメータをブラインド検出することは、前記観測に少なくとも部分的に基づいてＰＲＳオケージョンの開始に関するサブフレームオフセットパラメータを決定することを備える、請求項２に記載の方法。
【請求項５】
前記ＰＲＳピークエネルギー応答を推定することは、無線フレーム内で、しきい値を超えるピークエネルギー応答を有する第１のサブフレームを観測することを備え、
ＰＲＳパラメータをブラインド検出することは、
前記第１のサブフレームの後に、前記観測に少なくとも部分的に基づいて、前記しきい値を超えるピークエネルギー応答を有する連続するサブフレームの数を決定することと、
前記決定することに少なくとも部分的に基づいて、ＰＲＳオケージョンにおける連続するサブフレームの数に対するＰＲＳパラメータを設定することと、
を備える、請求項２に記載の方法。
【請求項６】
ＰＲＳパラメータをブラインド検出することは、
複数回、無線フレームを走査することと、
前記無線フレームの各サブフレームにおけるＰＲＳ信号の有無を決定することと、
前記複数回の走査の多数値に少なくとも部分的に基づいて、各サブフレームに値を割り当てることと、
各サブフレームごとに、前記割り当てられた値に少なくとも部分的に基づいてミューティングパターンを決定することと、
を備える、請求項１に記載の方法。
【請求項７】
前記ＰＲＳエネルギーは、ＰＲＳの信号と信号プラス雑音との比を備える、請求項１に記載の方法。
【請求項８】
ワイヤレス通信のための装置であって、
複数のロケーションから信号を受信するように構成された受信機と、
入力信号の各サブフレームの所定のロケーションにおけるＰＲＳエネルギーを推定し、
前記推定されたＰＲＳエネルギーに少なくとも部分的に基づいてＰＲＳパラメータをブラインド検出する
ように構成された少なくとも１つのプロセッサと、
を備える装置。
【請求項９】
前記ＰＲＳエネルギーは、ＰＲＳピークエネルギー応答を備える、請求項８に記載の装置。
【請求項１０】
前記少なくとも１つのプロセッサは、
複数の周波数トーンにわたってピークエネルギー応答を観測し、
前記観測に少なくとも部分的に基づいてＰＲＳ帯域幅パラメータを決定するようにさらに構成される、請求項９に記載の装置。
【請求項１１】
前記少なくとも１つのプロセッサは、
無線フレーム内で、しきい値を超えるピークエネルギー応答を有する第１のサブフレームを観測し、
前記観測に少なくとも部分的に基づいてＰＲＳオケージョンの開始に関するサブフレームオフセットパラメータを決定するようにさらに構成される、請求項９に記載の装置。
【請求項１２】
前記少なくとも１つのプロセッサは、
無線フレーム内で、しきい値を超えるピークエネルギー応答を有する第１のサブフレームを観測し、
前記第１のサブフレームの後に、前記観測に少なくとも部分的に基づいて、前記しきい値を超えるピークエネルギー応答を有する連続するサブフレームの数を決定し、
前記決定することに少なくとも部分的に基づいて、ＰＲＳオケージョンにおける連続するサブフレームの数に対するＰＲＳパラメータを設定するようにさらに構成される、請求項９に記載の装置。
【請求項１３】
前記少なくとも１つのプロセッサは、
複数回、無線フレームを走査し、
前記無線フレームの各サブフレームにおけるＰＲＳ信号の有無を決定し、
前記複数回の走査の多数値に少なくとも部分的に基づいて、各サブフレームに値を割り当て、
各サブフレームごとに、前記割り当てられた値に少なくとも部分的に基づいてミューティングパターンを決定するようにさらに構成される、請求項８に記載の装置。
【請求項１４】
前記ＰＲＳエネルギーは、ＰＲＳの信号と信号プラス雑音との比を備える、請求項８に記載の装置。
【請求項１５】
コンピュータプログラム製品であって、
プログラムコードを記録した非一時的コンピュータ可読媒体を備え、
前記プログラムコードは、
入力信号の各サブフレームの所定のロケーションにおけるＰＲＳエネルギーを推定するためのプログラムコードと、
前記推定されたＰＲＳエネルギーに少なくとも部分的に基づいてＰＲＳパラメータをブラインド検出するためのプログラムコードと、
を備えるコンピュータプログラム製品。
【請求項１６】
前記ＰＲＳエネルギーはＰＲＳピークエネルギー応答を備える、請求項１５に記載のプログラム製品。
【請求項１７】
前記ＰＲＳエネルギーは、ＰＲＳの信号と信号プラス雑音との比を備える、請求項１５に記載のプログラム製品。
【請求項１８】
ワイヤレス通信のための装置であって、
入力信号の各サブフレームの所定のロケーションにおけるＰＲＳエネルギーを推定するための手段と、
前記推定されたＰＲＳエネルギーに少なくとも部分的に基づいてＰＲＳパラメータをブラインド検出するための手段と、
を備える装置。
【請求項１９】
前記ＰＲＳエネルギーは、ＰＲＳピークエネルギー応答を備える、請求項１８に記載の装置。
【請求項２０】
前記ＰＲＳエネルギーは、ＰＲＳの信号と信号プラス雑音との比を備える、請求項１８に記載の装置。
【発明の詳細な説明】
【技術分野】
【０００１】
関連出願の相互参照
[0001]本開示は、開示の全体が参照により本明細書に明確に組み込まれる、Ａｒａｓｈ  Ｍｉｒｂａｇｈｅｒｉらによる２０１３年９月７日出願の「ＢＬＩＮＤ  ＳＥＡＲＣＨ  ＦＯＲ  ＮＥＴＷＯＲＫ  ＰＯＳＩＴＩＯＮＩＮＧ  ＲＥＦＥＲＥＮＣＥ  ＳＩＧＮＡＬ  （ＰＲＳ）  ＣＯＮＦＩＧＵＲＡＴＩＯＮ  ＰＡＲＡＭＥＴＥＲＳ」と題する米国仮特許出願第６１／８７４，９８５号の利益を主張する。
【０００２】
[0002]本開示の態様は、概して、ワイヤレス通信システムに関し、より詳細には、ワイヤレス通信システム内の位置特定システムに関する。
【背景技術】
【０００３】
[0003]ワイヤレスネットワークは、音声、ビデオ、パケットデータ、メッセージング、ブロードキャスティング、位置特定サービス、および他の同様のワイヤレス通信サービスなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００４】
[0004]ワイヤレスネットワーク内では、モバイルデバイスの位置を特定するために、測位および位置決定が広く用いられている。位置は、アプリケーションによって使用され得るだけでなく、システム制御および信号分配のためにも使用され得る。衛星測位システム（ＳＰＳ）（たとえば全地球測位システム（ＧＰＳ））を使用して位置を決定することは、しばしば適切となるが、幾度となく、また特定のアプリケーションおよびシステム機能に対し、ＳＰＳデータは不十分となる。たとえば、屋内にいるとき、衛星信号が利用可能でないこともある。到達時間差（ＴＤＯＡ）、観測到達時間差（ＯＴＤＯＡ）、および他のシステムなど、代替的な測位解決策が、そのようなアプリケーションおよび機能に望ましくなり得る。
【発明の概要】
【０００５】
[0005]本開示の一態様は、測位基準信号（ＰＲＳ）ネットワーク構成を決定するための方法を提供する。そのような方法は、入力信号の各サブフレームの所定のロケーションからＰＲＳエネルギーを推定することを含む。そのような方法はまた、推定されたＰＲＳエネルギーに少なくとも部分的に基づいてＰＲＳパラメータをブラインド検出することを含む。
【０００６】
[0006]本開示の別の態様によるワイヤレス通信用の装置は、複数のロケーションから信号を受信するように構成された受信機を含む。そのような装置はまた、入力信号の各サブフレームの所定のロケーションにおけるＰＲＳエネルギーを推定するように、そしてその推定されたＰＲＳエネルギーに少なくとも部分的に基づいてＰＲＳパラメータをブラインド検出するように構成された少なくとも１つのプロセッサを含む。
【０００７】
[0007]本開示の別の態様によるコンピュータプログラム製品は、プログラムコードを記録した非一時的コンピュータ可読媒体を含む。このプログラムコードは、入力信号の各サブフレームの所定のロケーションにおけるＰＲＳエネルギーを推定するためのプログラムコードを含む。また、推定されたＰＲＳエネルギーに少なくとも部分的に基づいてＰＲＳパラメータをブラインド検出するためのプログラムコードも存在する。
【０００８】
[0008]本開示の別の態様によるワイヤレス通信用の装置は、入力信号の各サブフレームの所定のロケーションにおけるＰＲＳエネルギーを推定するための手段を含む。そのような装置はまた、推定されたＰＲＳエネルギーに少なくとも部分的に基づいてＰＲＳパラメータをブラインド検出するための手段を含む。
【０００９】
[0009]ここでは、以下の発明を実施するための形態がより良く理解され得るように、本開示の特徴および技術的利点についてやや広く概説した。以下で、本開示の追加の特徴および利点について説明する。本開示は、本開示の同じ目的を遂行するための他の構造を修正または設計するための基礎として容易に利用され得ることを、当業者は諒解されたい。また、そのような等価な構成は、添付の特許請求の範囲に記載の本開示の教示から逸脱しないことを、当業者は諒解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１０】
[0010]本開示の特徴、特性、および利点は、全体を通じて同様の参照符号が同様のものを指す図面とともに、以下に記載する発明を実施するための形態を読めばより明らかになろう。
【図面の簡単な説明】
【００１１】
【図１】[0011]本開示の一態様による通信システムの概略図を示す図。
【図２】[0012]本明細書で議論する位置特定システムなどの通信システムにおいて使用されるワイヤレスノードの例示的なハードウェア構成を示すブロック図。
【図３】[0013]本開示の一態様による、ノーマルサイクリックプレフィックスを用いた測位基準信号（ＰＲＳ）のマッピングを示す図。
【図４】[0014]本開示の一態様による、拡張サイクリックプレフィックスを用いた測位基準信号（ＰＲＳ）のマッピングを示す図。
【図５】[0015]ＰＲＳ検出用のサブフレーム内における候補シンボルのロケーションを示す図。
【図６】[0016]本開示の一態様による、浅い探索の一例を示すフローチャート。
【図７】[0017]本開示の一態様による、深い探索の一例を示すフローチャート。
【図８】[0018]本開示の一態様による、確認モードを示すフローチャート。
【図９】[0019]本開示の一態様によるミューティングパターン決定の一例を示す図。
【図１０】[0020]本開示の一態様における、ＰＲＳトーンの特定の帯域幅に対するスペクトルチャートを示す図。
【図１１】[0021]位置特定システムを採用する装置に対するハードウェア実装形態の一例を示すブロック図。
【図１２】[0022]本開示の様々な態様による方法を示すフローチャート。
【発明を実施するための形態】
【００１２】
[0023]添付の図面に関して以下に記載する詳細な説明は、様々な構成を説明するものであり、本明細書で説明する概念が実施され得る唯一の構成を表すものではない。この詳細な説明は、様々な概念の完全な理解をもたらすことを目的とした具体的な詳細を含んでいる。しかしながら、これらの概念がこれらの特定の詳細なしに実施され得ることは、当業者には明らかであろう。いくつかの例では、周知の構造および構成要素は、そのような概念を不明瞭にすることを避けるために、ブロック図の形式で示されている。
【００１３】
[0024]システム概要
[0025]本開示の様々な態様は、モバイルデバイスによる周辺デバイスの位置特定および接続のための技法を提供する。
【００１４】
[0026]位置特定のための例示的なシステム１００が図１に示されている。位置特定およびタイミング信号１８ａ〜ｎが１つまたは複数の衛星２０ａ〜ｎから送信される。１つまたは複数の衛星２０ａ〜ｎから送信された位置特定およびタイミング信号１８ａ〜ｎは、第１の基地局、つまりｅＮｏｄｅＢ２１０（アクセスポイントとしても知られる）によって受信され得る。ｅＮｏｄｅＢ２１０は、ｅＮｏｄｅ２１０のロケーション、ならびに衛星の位置特定およびタイミング信号からの時間オフセットを決定し得る。ｅＮｏｄｅＢ２１０は、共通の衛星システム時間に同期された１つまたは複数の位置特定信号２４を、ハンドセットまたはユーザ機器（ＵＥ）２５０を含めた任意の台数の受信機および／またはトランシーバおよび／または端末に送信し得る。ユーザ機器２５０は、モバイルワイヤレス通信システムを介して基地局（ｅＮｏｄｅＢ）２１０と通信するようにアクティブ化されており、また、ユーザ機器２５０に含められた衛星位置システム（ＳＰＳ）テクノロジを使用して位置特定を確立しようとするユーザを有している。さらに、位置特定およびタイミング信号１８ａ〜１８ｎは、直接ユーザ機器２５０で受信され得る。支援データおよびロケーション測定データなどのロケーション関連データが、ユーザ機器２５０との間でｅＮｏｄｅＢ２１０を介して構成アグリゲーション（ロケーション）サーバ２６へと送信され得る。位置特定およびタイミング信号１８ａ〜１８ｎは測位基準信号（ＰＲＳ）を含む。
【００１５】
[0027]図２は、各々が図１におけるワイヤレスノードのうちの１つとなり得るｅＮｏｄｅＢ２１０およびユーザ機器（ＵＥ）２５０の設計のブロック図を示している。ワイヤレス通信システム１００中のワイヤレスノードの各々は、ワイヤレス通信をサポートするためのワイヤレストランシーバと、ネットワークを介した通信を管理するためのコントローラ機能とを含み得る。コントローラ機能は、１つまたは複数のデジタル処理デバイス内で実装され得る。ワイヤレストランシーバは、ワイヤレスチャネルを介した信号の送信および受信を可能にするための１つまたは複数のアンテナに結合され得る。
【００１６】
[0028]一構成において、アクセスポイント（ｅＮｏｄｅＢ）２１０はアンテナ２３４（２３４ａ、．．．、２３４ｔ）を装備され得、また２５０はアンテナ２５２（２５２ａ、．．．、２５２ｒ）を装備され得る。信号は様々な周波数にて、あるフレームフォーマットで送信され、各フレームは、用いられている送信方式に基づいてトーン、コマンド、およびデータの位置が特定されるデータのサブフレームを含んでいる。
【００１７】
[0029]アクセスポイント２１０において、送信プロセッサ２１４は、データソース２１２からデータを、そしてコントローラ／プロセッサ２４０から制御情報を受信し得る。送信プロセッサ２１４は、データと制御情報とを処理（たとえば、符号化およびシンボルマッピング）して、それぞれデータシンボルと制御シンボルとを取得し得る。送信プロセッサ２１４はまた、基準シンボルとセル固有基準信号とを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、トランシーバ２３２（２３２ａ、．．．、２３２ｔ）に出力シンボルストリームを供給し得る。各トランシーバ２３２は、それぞれの出力シンボルストリームを処理して出力サンプルストリームを取得し得る。各トランシーバ２３２はさらに、出力サンプルストリームを処理（たとえば、アナログへの変換、増幅、フィルタ処理、およびアップコンバート）して送信信号を取得し得る。トランシーバ２３２からの信号は、それぞれリンク上でアンテナ２３４（２３４ａ、．．．、２３４ｔ）を介して送信され得る。
【００１８】
[0030]ユーザ機器２５０において、アンテナ２５２（２５２ａ、．．．、２５２ｒ）は、アクセスポイント２１０から信号を受信し得、その受信信号をそれぞれトランシーバ２５４（２５４ａ、．．．、２５４ｒ）に供給し得る。各トランシーバ２５４は、それぞれの受信信号を調整（たとえば、フィルタ処理、増幅、ダウンコンバート、およびデジタル化）して、入力サンプルを取得し得る。各トランシーバ２５４はさらに、入力サンプルを処理して受信シンボルを取得し得る。ＭＩＭＯ検出器２５６は、すべてのトランシーバ２５４から受信シンボルを取得し、適用可能な場合は受信シンボルに対してＭＩＭＯ検出を実行し、検出シンボルを供給し得る。受信プロセッサ２５８は、検出シンボルを処理（たとえば、復調、デインターリーブ、および復号）し、ユーザ機器２５０のための復号されたデータをデータシンク２６０に供給し、復号された制御情報をコントローラ／プロセッサ２７０に供給し得る。
【００１９】
[0031]ユーザ機器２５０から送信するとき、送信プロセッサ２６４は、データソース２６２からデータを、そしてコントローラ／プロセッサ２７０から制御情報を受信し処理し得る。送信プロセッサ２６４はまた、基準信号用の基準シンボルを生成し得る。送信プロセッサ２６４からのシンボルは、適用可能な場合はＴＸ  ＭＩＭＯプロセッサ２６６によってプリコーディングされ、さらにトランシーバ２５４によって処理され、アクセスポイント２１０に送信され得る。アクセスポイント２１０において、ユーザ機器２５０から受信された信号は、アンテナ２３４によって受信され、トランシーバ２３２によって処理され、適用可能な場合はＭＩＭＯ検出器２３６によって検出され、さらに受信プロセッサ２３８によって処理されて、ユーザ機器２５０によって送られた復号されたデータおよび制御情報が取得され得る。受信プロセッサ２３８は、復号されたデータをデータシンク２３９に、そして復号された制御情報をコントローラ／プロセッサ２４０に供給し得る。アクセスポイント２１０は、たとえば、バックホールリンクを介して他の基地局にメッセージを送り得る。
【００２０】
[0032]それぞれ、コントローラ／プロセッサ２４０はアクセスポイント２１０における動作を指示し得、コントローラ／プロセッサ２７０はユーザ機器２５０における動作を指示し得る。ユーザ機器２５０におけるコントローラ／プロセッサ２７０および／または他のプロセッサならびにモジュールは、図６、７、および１０の方法フローチャートに示す機能ブロック、および／または本明細書で説明する技法のための他のプロセスを実行するかまたはその実行を指示し得る。メモリ２４２は、アクセスポイント２１０用のデータおよびプログラムコードを記憶し得、メモリ２７２は、ユーザ機器２５０用のデータおよびプログラムコードを記憶し得る。
【００２１】
[0033]図示されたように、コントローラ／プロセッサ２７０およびメモリ２７２は、位置特定およびタイミング信号１８ａ〜ｎ（図１）と、位置特定データを含む基地局の位置特定信号２４（図１）とを含む、位置特定データに関するデータおよび情報とともに、命令をユーザ機器２５０が受信、処理、記憶、および実行することを可能にする、様々な構成要素を含み得る。
【００２２】
[0034]ユーザ機器２５０の図２に示されたコントローラ／プロセッサ２７０は、本明細書に記載された方法を実施するためのコンピュータ命令（本明細書では「命令」）のセットを含む。本明細書に記載された方法を理解する際の助けとして、命令２９２は、概略的に単独で図２に示される。命令は、様々な内部メモリ２７２に記憶されてもよく、あるいはハードウェアに実装されてもよい。命令はまた、ユーザ機器２５０の外部、たとえば、セキュアなイントラネット、インターネット、または基地局２２もしくはロケーションサーバ２６に位置するコンピュータのコンピュータ処理システムに含まれてもよく、命令は、そこからユーザ機器２５０に送信され得る。命令に関連するデータは、受信され、記憶され、処理され、ユーザ機器２５０に送信され得るが、明確さを高めるために単一のユーザ機器（モバイルデバイスとも呼ばれる）２５０のみが示されている。命令に関連するデータはまた、受信され、記憶され、処理され、複数のｅＮｏｄｅＢ２１０またはロケーションサーバ２６に／から送信され得るが、明確さを高めるために単一の基地局／ｅＮｏｄｅＢ２１０およびロケーションサーバ２６のみが図１に示されている。代替として、命令に関連するデータはまた、受信され、記憶され、処理され、ネットワークに接続されたコンピュータサーバに／から送信され得る。
【００２３】
[0035]ユーザ機器２５０は、衛星測位システム（ＳＰＳ）受信機２９３を含み得るが、この衛星測位システム受信機（ＳＰＳ）２９３は、トランシーバ／受信機２５４のうちの１つまたは複数であってもよく、あるいは、ＳＰＳアンテナ２９５を介して衛星測位システム（ＳＰＳ）信号１８を受信することが可能な別個の受信機２９３であってもよい。別個の受信機２９３はＳＰＳ受信機であってもよい。別個の受信機２９３はまた、衛星測位システム（ＳＰＳ）信号１８を全体的にまたは部分的に処理し、そのＳＰＳ信号１８を使用してユーザ機器２５０のロケーションを決定し得る。いくつかの構成では、コントローラ／プロセッサ２７０はまた、受信機２９３とともに、ＳＰＳ信号１８を全体的にもしくは部分的に処理するため、および／またはユーザ機器２５０のロケーションを計算するために利用され得る。ＳＰＳまたは他のロケーション信号の記憶は、メモリ２７２またはレジスタにおいて行われ得る。
【００２４】
[0036]いくつかの実装形態では、ユーザ機器２５０は、ＳＰＳ衛星２０からＳＰＳ信号１８を受信し得る。いくつかの実施形態では、ＳＰＳ衛星２０は、ＧＰＳ衛星システムまたはＧａｌｉｌｅｏ衛星システムなどの、１つのグローバルナビゲーション衛星システム（ＧＮＳＳ）からのものであり得る。他の実施形態では、ＳＰＳ衛星２０は、限定はしないが、ＧＰＳ衛星システム、Ｇａｌｉｌｅｏ衛星システム、Ｇｌｏｎａｓｓ衛星システム、またはＢｅｉｄｏｕ（Ｃｏｍｐａｓｓ）衛星システムなどの複数のＧＮＳＳからのものであり得る。モバイルデバイスはまた、ワイヤレス信号を介してワイヤレスネットワーク基地局（ｅＮｏｄｅＢ）２１０と通信し得る。以下に説明するように、ユーザ機器２５０は、ラップトップ、タブレット、モバイルフォン（たとえばスマートフォン）、ネットブック、スマートブック、ウルトラブック、または他の好適なデバイスであり得る。
【００２５】
[0037]モバイルデバイスによる検出は、測位と発見との２つのフェーズに分割され得るが、これら２つのフェーズはいくつかの点で重複し得る。所望の周辺デバイスが識別されると、モバイルデバイスは周辺デバイスに接続することができ得る。
【００２６】
[0038]モバイルデバイス（ユーザ機器２５０）は、ロケーション検出アルゴリズムを使用して、そのロケーションを決定し得る。戸外では、全地球測位システム（ＧＰＳ）などの地球位置決めシステムまたは他の方法が使用され得る。屋内では、ＱｕａｌｃｏｍｍのＩＮＮＡＶなどの屋内測位アルゴリズムが使用され得る。さらなる位置特定は、Ｗｉ−Ｆｉ（登録商標）アクセスポイント（ＡＰ）などの他の技法を使用して達成され得る。各ＡＰは、サービスセット識別子（ＳＳＩＤ）と媒体アクセス制御（ＭＡＣ）ＩＤとを含むビーコンフレームをブロードキャストする。モバイルデバイスは、測距および三辺測量技法を使用して、ＡＰからのその距離を推定することができ得る。ユーザ機器２５０はまた、どのアクセスポイントを参照し得るかを決定することによって、位置プロファイルを識別し得る。
【００２７】
[0039]ユーザ機器２５０は次いで、いくつかの技法を使用して近くにある機器を決定し得る。ビーコンベースの技法では、機器は測位情報を有する周期的なビーコンを送信し得る。その測位情報は、（地球位置決めシステムまたは屋内ナビゲーションシステムなどにおける）座標または他の位置情報であり得る。
【００２８】
[0040]別の発見技法が、周辺デバイスから受信された信号に基づく近傍検出を使用する場合がある。たとえば、ユーザ機器２５０は、周辺デバイスから受信された信号の強度によって、周辺デバイスへのその近接度を判定し得る。
【００２９】
[0041]別の発見技法が、ロケーション情報を含む中央レポジトリまたはサーバ２６を使用する場合がある。ユーザ機器２５０は、直接的にもしくはｅＮｏｄｅＢ２１０を介して、中央レポジトリに問い合わせをし、それ自体のロケーションを与えるか、あるいは中央レポジトリからロケーション情報を要求し得る。中央レポジトリからの情報はまた、ユーザ機器２５０のロケーションに対する指向性情報を含み得る。
【００３０】
[0042]本開示は、ネットワーク（たとえばワイヤレス通信システム１００）において測位基準信号（ＰＲＳ）構成パラメータをブラインド探索および検出する方法、装置、およびコンピュータプログラム製品について記述するものである。
【００３１】
[0043]図３および４に示すように、ＰＲＳは、ＰＲＳ送信用に構成されたダウンリンクサブフレーム内の特定のリソース要素においてのみ送信され得る。ＰＲＳは、アンテナポート６などの特定のアンテナポートによってｅＮｏｄｅＢ２１０から送信され得る。図３は、物理ブロードキャストチャネル（ＰＢＣＨ）アンテナの数に基づいてノーマルサイクリックプレフィックス送信のためにＰＲＳに割り当てられたリソース要素を示している。図４は、ＰＢＣＨアンテナの数に基づいて拡張サイクリックプレフィックス送信のためにＰＲＳに割り当てられたリソース要素を示している。図３および図４におけるＰＲＳトーンの周波数オフセットは、物理セルＩＤ（ＰＣＩＤ）の値に依存する。
【００３２】
[0044]ＰＲＳは次のように、スロット番号ｎsおよびセルＩＤ、
【００３３】
【数１】
2016533130.tif 000003
【００３４】
に依存するシード初期設定を用いて疑似ランダムシーケンスでスクランブルされたＱＰＳＫ変調を使用し得る。
【００３５】
[0045]
【００３６】
【数２】
2016533130.tif 000004
【００３７】
[0046]このシードの公式は、セルＩＤ（すなわちＰＣＩＤ）、シンボル番号、およびスロット番号（プロセッサ２１４によって生成され得る）に依存するため、ネイバーセルのＰＲＳをサービングセルのＰＲＳと取り違えることは困難となる。ＰＲＳは、図２に示すダウンリンク信号のリソースブロック（ＲＢ）内のリソース要素（ＲＥ）にマッピングされる。ｅＮｏｄｅＢ２１０は複数のセルを備え得る。ｅＮｏｄｅＢ２１０内の各セルはＰＣＩＤを有し、それ自体のセル固有のＰＲＳ信号を有し得る。
【００３８】
[0047]ＰＲＳの帯域幅は上位層によって構成され、ワイヤレス通信システムの帯域幅よりも狭くなり得る。ＰＲＳトーンは６回の周波数再利用を有し、この周波数再利用のオフセットは次の周波数偏移によって決定される。
【００３９】
【数３】
2016533130.tif 000005
【００４０】
[0048]第１の態様では、ｅＮｏｄｅＢ２１０のセルが、ＰＲＳ構成パラメータを直接、ユーザ機器２５０に与え、それにより、ユーザ機器２５０は様々な信号の観測到達時間差（ＯＴＤＯＡ）を決定して、ユーザ機器の位置（たとえば、経度、緯度、方向、およびｅＮｏｄｅＢ２１０からの距離など）を決定する上でユーザ機器２５０を支援し得る。ユーザ機器は、ユーザ機器２５０の位置を決定するために、ＯＴＤＯＡ測定値を別個のコンピュータまたは位置／ロケーションサーバ２６に送り得る。この態様は、ネットワークアシストＯＴＤＯＡプロセスと呼ばれ得る。
【００４１】
[0049]ユーザ機器２５０は、ＰＲＳ送信の１次構成パラメータを含んだＯＴＤＯＡ支援データを備え付けられ得る。これらのパラメータには、ＰＲＳ帯域幅、ＰＲＳオケージョンの開始のためのサブフレームオフセットおよびＰＲＳオケージョンの周期性（ＴPRS）を伝えるＰＲＳ構成インデックス（ＩPRS）、連続するサブフレームの数（ＮPRS）、ならびにＰＲＳミューティングパターンが含まれる。
【００４２】
[0050]ワイヤレス通信システム１００を使用してＰＲＳパラメータをユーザ機器２５０に送ることは、これらのパラメータがすべてのユーザ機器２５０に周期的に送られ、そのため、各ユーザ機器２５０が、サーバ２６またはネットワークに頼ることなく、ユーザ機器２５０の位置を認識し得ることを意味する。したがって、ユーザ機器２５０上で稼働するモバイル発信型の測位アプリケーションにおいて、ユーザ機器２５０が、ワイヤレス通信システム１００からの支援データに頼ることなく、これらのパラメータをユーザ機器２５０自体で決定することが望ましい。
【００４３】
[0051]ユーザ機器２５０は、登録によってワイヤレス通信システム１００に参加するとき、サイクリックプレフィックスタイプ（ＣＰ）および送信アンテナの数に関連するデータを与えられ得る。それに代わって、あるいはそれと連携して、ユーザ機器２５０は、通常の復調手順によってこれらのパラメータを決定し得る。
【００４４】
[0052]本開示は、１つまたは複数の探索モードを用いてＰＲＳ送信パラメータを決定し得るものである。本開示の第１の態様は、浅い探索モードを含む。この浅い探索モードとは、ユーザ機器２５０が各サブフレームにおける各スロットの最後の２つのシンボルに対してＰＲＳトーンの抽出およびデスクランブリングを実行する探索モードである。浅い探索モードはその後、各トランシーバ２５４ごとにこれらの４元ベクトルを使用して、信号／信号＋雑音（Ｓ／Ｓ＋Ｎ）の推定となり得る推定を実行する。
【００４５】
[0053]浅い探索モード
[0054]浅い探索モードは、最早到達経路（ＥＡＰ）の検出など、より複雑なＰＲＳ処理に頼ることなく、各サブフレームごとにＰＲＳ信号／信号＋雑音との比（Ｓ／Ｓ＋Ｎ）を推定し得るものである。
【００４６】
[0055]本開示の浅い探索モードは、より複雑なアルゴリズムに頼らないため、ほぼリアルタイムで実行され得る。本開示の一態様では、浅い探索モードは、図５に示すシンボルに対してＰＲＳシンボル処理を実行することを含み得る。上に記載したように、各サブフレームの最後の２つのシンボルが探索される。図５は、すべてのシンボル中の（標準的な（通常の）サイクリックプレフィックスに対する）ＰＲＳロケーションを示す図３とは対照的に、ＰＲＳロケーションの最後の２つのシンボルのみが探索されることを示している。
【００４７】
[0056]本開示の一態様では、浅い探索モードは、図５に示すシンボルに対してＰＲＳシンボル処理を実行することを含み得る。上に記載したように、各サブフレームの最後の２つのシンボルが探索される。図５は、すべてのシンボル中の（標準的な（通常の）サイクリックプレフィックスに対する）ＰＲＳロケーションを示す図３とは対照的に、ＰＲＳロケーションの最後の２つのシンボルのみが探索されることを示している。
【００４８】
[0057]信号対雑音比（ＳＮＲ）推定を実行するために、ＰＲＳサブフレームにおける各スロットの最後の２つのシンボルは、それぞれ
【００４９】
【数４】
2016533130.tif 000006
【００５０】
、
【００５１】
【数５】
2016533130.tif 000007
【００５２】
、
【００５３】
【数６】
2016533130.tif 000008
【００５４】
、および
【００５５】
【数７】
2016533130.tif 000009
【００５６】
と表される周波数領域における４元ベクトルを形成すると見なされる。信号推定値は次のように取得される。
【００５７】
【数８】
2016533130.tif 000010
【００５８】
上式でαおよびβはそれぞれ、
【００５９】
【数９】
2016533130.tif 000011
【００６０】
、
【００６１】
【数１０】
2016533130.tif 000012
【００６２】
、および
【００６３】
【数１１】
2016533130.tif 000013
【００６４】
、
【００６５】
【数１２】
2016533130.tif 000014
【００６６】
に適用されるスケーリング係数である。信号＋雑音の推定値は次のようにして取得される。
【００６７】
【数１３】
2016533130.tif 000015
【００６８】
ＳＮ推定のために、すべての４元ベクトル（
【００６９】
【数１４】
2016533130.tif 000016
【００７０】
、
【００７１】
【数１５】
2016533130.tif 000017
【００７２】
、
【００７３】
【数１６】
2016533130.tif 000018
【００７４】
、および
【００７５】
【数１７】
2016533130.tif 000019
【００７６】
）が使用され得るが、信号Ｓの推定値と等価な処理利得を有するように、第１のベクトルと最後のベクトルのみが使用される。上記の方程式を用いて、Ｓ／（Ｓ＋Ｎ）は次のように推定され得る。
【００７７】
【数１８】
2016533130.tif 000020
【００７８】
上に公式化されるＳＮＲ推定の精度は、ベクトルの長さ（またはＰＲＳ帯域幅）に依存する。各Ｒｘチェーンの各セルの各サブフレームからのＳ（複素数）およびＳＮ（実数）メトリクスは、最後のサブフレームの最後に最終ＳＮＲメトリクスを形成するために記憶される。
【００７９】
浅い探索モードはまた、ＰＲＳ信号／信号＋雑音（Ｓ／Ｓ＋Ｎ）の処理を４元ベクトルの出力に対して実行することを含み得る。浅い探索モードは、信号／信号＋雑音の結果を読み出すことをさらに含み、瞬間Ｓ／（Ｓ＋Ｎ）値を計算し得る。この手順は、すべての潜在的ＰＲＳ帯域幅、およびすべてのサブフレーム、およびすべての受信チェーンに対して反復される。
【００８０】
[0058]深い探索モード
[0059]本開示の別の態様では、「深い探索」モードと呼ばれ得る別の探索モードが用いられ得る。この深い探索モードは、すべてのＰＲＳ処理が普通に行われる探索モードを指し得る。深い探索モードは、すべてのＰＲＳシンボルの抽出と、Ｓ／Ｓ＋Ｎの推定と、トーンの結合と、サブフレームの処理と、オケージョンの処理と、最終的なチャネルエネルギー応答（ＣＥＲ）の取得と、それに対して最早到達経路（ＥＡＰ）検出アルゴリズムを実行することとを含み得る。
【００８１】
[0060]本開示の浅い探索モードの態様と比較して、深い探索モードは、より緩慢となり、完了するのに数ミリ秒を要し得る。しかしながら、深い探索モードは、浅い探索モードと比べてより信頼性が高いものとなり得、また特定のアプリケーションまたは状況に望まれ得る。
【００８２】
[0061]深い探索モードは、本開示の一態様において、以下の付加的な特徴をさらに含み得る。
【００８３】
[0062]ＰＲＳ帯域幅および連続するサブフレームの数（ＮPRS）は、浅い探索モードからの仮説に従って設定され得る。送信アンテナ２３４の数は、ｅＮｏｄｅＢ２１０によって知られ中継され得る。
【００８４】
[0063]ＰＲＳパラメータ探索がユーザ機器のサービングセルに基づいて実行されるため、探索ウィンドウは減少され得る。
【００８５】
[0064]設計基準
[0065]本開示の一態様による設計は、以下の基準に基づき得る。
【００８６】
[0066]ユーザ機器２５０は、サービングセル信号に対してＰＲＳパラメータの探索を実行し得る。したがって、サービングセル（ｅＮｏｄｅＢ）２１０はＰＲＳパラメータをブロードキャストする。ＰＲＳが受信されていない場合、ユーザ機器２５０は、ブロードキャストがこのセルに対して受信されていないことを報告する。
【００８７】
[0067]一構成において、周波数間ハンドオーバはこの探索プロセスの間に生じない。これは、ＰＲＳパラメータが周波数とともに変動し得るためにそのようになる。周波数間ハンドオーバが生じる場合、探索プロセスは中止され得る。別の構成において、ミューティングパターンがセル同士で異なるため、周波数内ハンドオフは、浅い探索モードでは許容されるが、深い探索モードでは許容されない。
【００８８】
[0068]ユーザ機器２５０は、ＬＴＥ（登録商標）の電話呼を維持するのに十分な品質のｅＮｏｄｅＢ２１０を備えた無線リンクを有する。
【００８９】
[0069]探索システムの説明
[0070]本開示の一態様は、浅い探索モードと深い探索モードとの組合せに基づき得る。アプリオリ情報がＰＲＳパラメータのいずれにも存在しないとき、ユーザ機器２５０は、浅い探索モードで開始し、システム帯域幅（ＳＹＳ  ＢＷ）よりも狭いかあるいは同等の、可能なＰＲＳ帯域幅ごとに、ＨEWの仮説を持つすべてサブフレームを走査し得る。たとえば、システム帯域幅が１０ＭＨｚである場合、ＨBW＝４は１．４ＭＨｚ、３ＭＨｚ、５ＭＨｚ、および１０ＭＨｚのＰＲＳ帯域幅に対応する。
【００９０】
[0071]ＰＲＳ帯域幅の仮説ごとに、Ｓ／（Ｓ＋Ｎ）が独立に、また受信チェーンごとに推定される。Ｓ／（Ｓ＋Ｎ）が検出しきい値ＴＨDetectを超える場合、ＰＲＳはその帯域幅に存在すると仮定される。ＰＲＳが一定の帯域幅を占める場合、その帯域幅に対するＳ／（Ｓ＋Ｎ）、およびそれより小さなすべての部分集合もまた、検出しきい値を超え、ほぼ同じとなる。したがって、ＰＲＳがより広い帯域幅に見出されると、他のより狭いＰＲＳ帯域幅は探索されない。
【００９１】
[0072]帯域幅の仮説は、処理利得の差を考慮するために用いられる何らかの補正係数を用いて、Ｓ／（Ｓ＋Ｎ）に基づいてソーティングされる。次いで最高位の帯域幅が、ＰＲＳ帯域幅の候補として選択され得る。したがって、候補として選択されたサブフレームに存在するようにＰＲＳが宣言される。ＰＲＳオケージョンの第１のサブフレームは特別にマーキングされ、ＰＲＳオケージョンにおけるサブフレームの数は、ＰＲＳ信号が存在した最後のサブフレームから、１、２、４、または６の有効値となるように調整された最初のサブフレームを減じたものになると仮説を立てられる。
【００９２】
[0073]浅い探索は、少なくともＮshallowのＰＲＳオケージョンとなり得る一定数のＰＲＳ候補（ＰＲＳが存在すると宣言されるオケージョン）が検出されるまで継続する。これらのオケージョンは、ＰＲＳ帯域幅の候補セットを備え得、ＮPRSが形成されるが、ここで各セットはＮshallowまでのメンバー（Ｎshallowのオケージョンごとに１つ）を有し得る。
【００９３】
[0074]本開示の浅い探索モードの態様から、ユーザ機器２５０はまた、ＰＲＳオケージョンの潜在的タイミングを決定し得る。２つの連続するＰＲＳオケージョンのいずれかが１６０ｍｓ以内に発生する場合、ＴPRS＝１６０ｍｓとなる。他の場合、その期間は、ＰＲＳミューティングパターンによって、１６０ｍｓより大きくなることも、大きくならないこともある。
【００９４】
[0075]浅い探索モードがすべての帯域幅に対して完了された後、ユーザ機器２５０は深い探索モードを始め得る。深い探索モードは、浅い探索モードにおける検出されたＰＲＳオケージョンのタイミングから１６０ｍｓごとに生じるようにタイミングを調節され得る。
【００９５】
[0076]深い探索モードにおいて、ユーザ機器２５０は、ＣＥＲベクトルからピーク品質を調べ、最高のピーク品質を持つ候補を選択することによって、ＰＲＳ帯域幅の候補セットおよびＮPRSを絞り込み得る。さらに、深い探索モードは
【００９６】
【数１９】
2016533130.tif 000021
【００９７】
にわたって継続し得、ここでＮ＿ｄｅｅｐは長さ１６のミューティングパターン全体がカバーされるように望まれる回数であり、ＴPRS,candidateは、浅い探索に由来するＰＲＳ期間の候補である。
【００９８】
[0077]１６０ｍｓの距離を持つ２つの連続するオケージョンが検出された場合、ＰＲＳ期間は１６０ｍｓであり、他の場合、使用されるＰＲＳ期間は６４０ｍｓである。最大ＰＲＳ期間は１２８０ｍｓとなり得るが、ミューティングビットストリング内のビットロケーションを決定するシステムフレーム番号（ＳＦＮ）は、１２８０ｍｓ期間を持つ８つのオケージョンの後にラップアラウンドするため、ミューティングパターンの長さは、この期間に対して１６にはなり得ない。そのため、最長の実行は、同等である８×１２８０ｍｓまたは１６×６４０ｍｓのいずれかである。
【００９９】
[0078]各ＰＲＳオケージョンにおいて、深い探索は、複数の仮説を一度に調べることによって、ＰＲＳ帯域幅の候補およびＮPRSのリストを絞り込む機会を有し得る。これに加えて、深い探索はまた、１６０ｍｓごとにピークを探すことによって、ミューティングパターンおよびＰＲＳ期間を決定し得る。
【０１００】
[0079]詳細な設計
[0080]図６は、本開示の一態様による、浅い探索モードのフローチャートを示している。
【０１０１】
[0081]フローチャート６００は、浅い探索のための本開示の態様を示している。浅い探索は、ボックス６０２に示すように、カウンタをゼロに、そしてフラグを偽に設定することによって、任意のサブフレームから開始し得る。ボックス６０４に示すように、すべてのサブフレームにおいて、トーン抽出およびＳ／（Ｓ＋Ｎ）の推定が、各受信チェーンごとに、システム帯域幅に等しいかそれより狭い各ＰＲＳ帯域幅に対して実行される。ボックス６０６に示すように、各ＰＲＳ帯域幅に対し、受信チェーン全体における最大のＳ／（Ｓ＋Ｎ）が比較のために選択される。
【０１０２】
[0082]ボックス６０８において、推定されたＳ／（Ｓ＋Ｎ）が検出しきい値ＴＨdetectと比較される。検出しきい値は、ブラインド探索の手順全体がサービングセルの信号に対して実行されるという仮定に基づいて選択され得る。サービングセルのＰＲＳは−６ｄＢを超えるように設計されており、また−６ｄＢを超えるレンジは、処理利得が低くても良好な精度で推定され得るため、しきい値はたとえば−６ｄＢに設定され得る。
【０１０３】
[0083]推定されたＳ／（Ｓ＋Ｎ）がこのしきい値を超えない場合、ボックス６１０においてＰＲＳはこのサブフレームに不在であると宣言され、ボックス６１２において探索は次のサブフレームに進む。他の場合、推定されたＳ／（Ｓ＋Ｎ）の値はソーティングされるが、これは降順をなしても、昇順をなしてもよい。ボックス６１４において、推定されたＳ／（Ｓ＋Ｎ）の値に対応する最大帯域幅が、ＰＲＳ帯域幅の候補セットに加わるように選択される。たとえば、システム全体の帯域幅が１０ＭＨｚであり、ＰＲＳ帯域幅が５ＭＨｚである場合、予想されることとして、１．４ＭＨｚ、３ＭＨｚ、および５ＭＨｚに基づく推定されたＳ／（Ｓ＋Ｎ）の値はすべて、結果としてほぼ同じ値となるが、ただし、雑音項がより大きくなるため、１０ＭＨｚに対するＳ／（Ｓ＋Ｎ）の推定値は著しくより低くなる。
【０１０４】
[0084]したがって、ＰＲＳオケージョンの開始は、ボックス６１６において変数を初期化することによってマーキングされる。次回に、推定されたすべてのＳ／（Ｓ＋Ｎ）の値がしきい値を下回ると、フラグが再び偽に設定され、ＮPRSの候補が、ＮPRSの有効値の影響下で推定される。この探索は、決定ボックス６１８および経路６２０によって示すように、Ｎshallowのオケージョンが検出されるまで続く。ボックス６２２に示すように、この決定ループの最後に、ＰＲＳ帯域幅の候補セットおよびＮPRSが形成される。ボックス６２２に示すように、２つの連続するオケージョンが１６０の離れたサブフレームである場合、ＴPRS＝１６０ｍｓを決定することも可能である。他の場合、ＴPRSはこれ以上絞り込まれ得ない。ボックス６２４に示すように、ＰＲＳ帯域幅と、可能な場合はＰＲＳ期間（Ｔ＿ＰＲＳ）の候補セットが決定され、深い探索がこの候補ＰＲＳセットに対して実行される。
【０１０５】
[0085]図７は、深い探索モードのための本開示の態様によるフローチャートを示している。
【０１０６】
[0086]フローチャート７００は、浅い探索モードと同様にタイミングを推定して、深い探索が次のＰＲＳオケージョンから始まることを示している。ボックス７０２に示すように、ＰＲＳオケージョンカウンタが初期化され、アレイ（たとえば
【０１０７】
【数２０】
2016533130.tif 000022
【０１０８】
の）が形成され、ゼロを入力される。アレイにおけるオケージョンの次の行および列のロケーションが、ボックス７０４に示すように計算される。次に、ボックス７０６に示すように、ＰＲＳ帯域幅のセットおよびＮPRSのセットからの複数の候補（例示的な構成においては４つの候補）が選択される。これは、ＰＲＳ帯域幅を最初に、続いてＮPRSを選択して実行され得る。
【０１０９】
[0087]次いで、ボックス７０８に示すように深い探索が実行され、続いて、ボックス７１０に示すように、ＥＡＰ検出およびピーク品質の計算が候補ごとに実行される。決定ブロック７１２およびボックス７１４に示すように、ピーク品質のいずれもが検出しきい値を超えない場合、このオケージョンはＯＦＦ（またはミューティング済み）とマーキングされ、候補セットは現状のままに保たれる。探索は次いで、経路７１６を経て次に現れるオケージョンに進む。
【０１１０】
[0088]他の場合、ボックス７１８に示すように、このオケージョンはＯＮとしてマーキングされ、ＰＲＳオケージョンカウンタが増分される。ボックス７２０に示すように、ピーク品質が比較されて、間違った候補が場合によってはセットから排除される。たとえば、ＮPRS＝２の場合、２つのサブフレームにわたる統合が、ＮPRSのいかなる他の候補と比較しても、より高度なピーク品質につながるべきである。
【０１１１】
[0089]探索は、決定ブロック７２２によって示すようにＮdeepのオケージョンが検出されるまで継続する。適切な数のオケージョンが到達されるまで、経路７２４が追従されて、探索プロセスが繰り返される。適切な数のオケージョンが到達されると、ＰＲＳ帯域幅、ＮPRSおよびＴPRSの、可能性が最も高い（最上位）候補が報告用に選択され、プロセスが終了する（ブロック７２６）。各オケージョンにおけるミューティングビットは、ボックス７０２からアレイの各列にある１の個数をカウントし、その個数を同じ列にあるゼロの個数と比較することによって決定され得る。その列において１の個数がゼロの個数よりも多い場合、このビットは、ビットストリングにおいてＯＮになると決定される。
【０１１２】
[0090]それに代わって、ユーザ機器２５０は、サーバ２６などのサーバに、候補セットを送信するか、またはさもなければ送り得、サーバは、サブフレーム内で候補ＰＲＳ期間、ＰＲＳ帯域幅、および／またはＰＲＳオケージョン／ロケーションを決定し得る。さらに、ユーザ機器２５０は、生の測定値、たとえば、選択されたＰＲＳ期間、ＰＲＳ帯域幅、および／もしくはＰＲＳオケージョンオケージョン／ロケーション、または選択された候補をサーバ２６などのサーバに送り得る。言い換えれば、信号の処理は、ＰＲＳ構成を決定し、ユーザ機器２５０、サーバ２６、または、ユーザ機器２５０、サーバ２６、もしくはワイヤレス通信システム内の他の処理機能の任意の組合せで実行され得る。
【０１１３】
[0091]さらに、複数のユーザ機器２５０がそれぞれサブフレーム測定値の一部分を、サーバ２６またはワイヤレス通信システム内の他のサーバに送信し得る。サーバ２６は、サブフレームのこれらの部分をアグリゲートするかまたはさもなければ組み合わせて、そのサブフレーム内の候補のＰＲＳ期間、ＰＲＳ帯域幅、および／またはＰＲＳオケージョン／ロケーションを決定し得る。処理、受信、およびＰＲＳ決定は、本開示の範囲から逸脱することなく、ワイヤレス通信システム内においてユーザ機器２５０とサーバ２６との間で分散され得る。
【０１１４】
[0092]図８は、本開示の一態様による、確認モードを表すフローチャートを示している。
【０１１５】
[0093]フローチャート８００は、確認モードの論理的経路を示しており、この確認モードとは、アプリオリＰＲＳ情報がユーザ機器２５０で利用可能となるモードを指す。一例として、ブロック８０２は、いつユーザ機器２５０が１つのセル上でＰＲＳ情報を探索および発見し、次いで周波数内ハンドオーバをなすかを示している。ユーザ機器２５０は、かなりの確実性を伴ってＰＲＳパラメータに関するこの知識を利用し得、したがって、既知のＰＲＳパラメータを探索パラメータとして使用する深い探索モードのみを採用する。
【０１１６】
[0094]ブロック８０４は、ＰＲＳオケージョンカウンタおよび検出器パラメータをゼロに初期化する。ユーザ機器２５０が、そのサービングセルのミューティングパターンの知識を有しているかどうかにかかわらず、ブロック８０６は、次に現れるＰＲＳオケージョンが既知のミューティングパターンによってＯＦＦオケージョンとしてフラグを設定されている場合でも、ユーザ機器２５０がそのＰＲＳオケージョンに対して深い探索を計画することを示している。その理由は、ＰＲＳミューティングパターンが、たとえば、新しいピコセルおよび／または他のネットワークの発展の導入に伴って、ネットワークにおいて時々変化し得るということである。またＰＲＳオケージョンカウンタがブロック８０６において増分される。
【０１１７】
[0095]ブロック８０８〜８１４は、ユーザ機器２５０がミューティングパターンストリング全体のＮverify回のスイープでＰＲＳオケージョンを検出するためのタイマーを有することを示している。たとえば、Ｎverify＝２は、最大長１６のミューティングパターンの２回のスイープで２つのＰＲＳオケージョンを検出することを意味する。ＰＲＳがブロック８０８で検出されない場合、制御はブロック８１４に移り、ここで、Ｎverify×Ｔ＿ＰＲＳ／１０の値とＰＲＳオケージョンカウンタの値とが比較される。ＰＲＳオケージョンカウンタがＮverify×Ｔ＿ＰＲＳ／１０よりも大きいかまたはそれに等しい場合、深い探索はブロック８１６において中止され、ブラインド探索が開始されて、浅い探索が始まる。既知のＰＲＳ情報が削除される。これは、タイマーが期限切れになったときに生じる。
【０１１８】
[0096]タイマーが期限切れになっていない（ブロック８１４：はい）場合、別の深い探索でＰＲＳの位置特定を試みるために、プロセスはブロック８０６に戻る。
【０１１９】
[0097]ＰＲＳがブロック８０８で検出された場合、ブロック８１０は、ＰＲＳオケージョン検出器が増分され、制御がブロック８１２に移ることを示す。ブロック８１２は、ユーザ機器２５０がＮverifyのＰＲＳオケージョンを正常に検出するかどうかを決定する。検出しない場合、プロセスはブロック８１４へと流れる。同様に、ＰＲＳがブロック８０８で検出されない場合、プロセスはブロック８１４へと流れる。
【０１２０】
[0098]ブロック８１２で、十分なＰＲＳオケージョンが検出されたと決定された場合、プロセスはブロック８１８に進む。ブロック８１８において、決定ブロックは、ＰＲＳパラメータが存在するかどうかを決定する。それらが存在する場合、制御はブロック８２４に移る。そうでない場合、制御はブロック８２０に移る。ブロック８２４および８２６にて、これらＮverifyのオケージョンから抽出されたＰＲＳパラメータが初期の仮定と異なるかどうかが決定される。異なる場合、ブロック８２８でユーザ機器は深い探索モードに入り、ＰＲＳパラメータを改良する。
【０１２１】
[0099]Ｎverifyのオケージョンを検出することが成功し、ＰＲＳオケージョンから抽出されたＰＲＳパラメータが初期の仮定と同じである（ブロック８２６：はい）場合、ユーザ機器２５０は制御をブロック８２０に移す。ブロック８２０において、ＰＲＳオケージョンが、ＰＲＳ期間の一部分にわたって深い探索における数（Ｎ＿ｄｅｅｐ×Ｔ＿ＰＲＳ／１０）よりも多いかまたはそれに等しい場合、制御はブロック８２２に移り、ここでユーザ機器は、ミューティングパターンストリング全体のスイープを進めて、サービングセルのミューティングパターンを見つけ出す。
【０１２２】
[00100]ハンドオーバ割込み
[00101]本開示による浅いまたは深い探索が進行中である間に周波数間ハンドオーバが生じた場合、探索は中止され得、情報または候補セットは保存され得ない。
【０１２３】
[00102]本開示による浅い探索が進行中である間に周波数内ハンドオーバが生じた場合、すべてのパラメータに対する候補セット、およびここまでのハンドオーバより前の検出されたＰＲＳオケージョンの数が履歴として記憶され得、ユーザ機器２５０は、周波数内ハンドオーバが完了した後に、保存された履歴に基づいて浅い探索を継続し得る。
【０１２４】
[00103]本開示による深い探索が進行中である間に周波数内ハンドオーバが生じた場合、すべてのパラメータに対する候補セットが保存され得る。カウンタおよびミューティングパターンのデータベースが再設定され得、これによって深い探索が事実上、再開される。
【０１２５】
[00104]図９は、本開示の一態様によるミューティングパターン決定の一例を示している。６４の列９０２と３つの行９０４とを有するアレイ９００は、ＮDeep＝１９２に対応する。３という数は、ミューティングシーケンス全体が探索される回数に対応する。６４という数は、ワーストケースシナリオで１６０ｍｓ単位におけるＰＲＳオケージョンの最大数である。このアレイは、「無関係（don't care）」の値（「Ｘｓ」で表される）で初期化される。深い探索が最初に開始されるとき（これはシステムフレーム番号（ＳＦＮ）＝５０でなされ得る）、探索は、第１の行９０４および第４の列９０２に対応し得、これはフレーム番号９０６で示される。深い探索は引き続きアレイ９００に対処し、アレイ９００の各要素に、ＯＮ状態（ＰＲＳ信号が存在する）に対応する「１」もしくは他のインジケータ、またはＯＦＦ状態（ＰＲＳ信号が存在しない）に対応する「０」または他のインジケータをマーキングする。１０２４の無線フレームの全範囲が３回（３つの行９０４に対応する）走査される。最後に、３つの行９０４は、列９０２の各々に対して多数決を取ることによって、１つのビット行にまとめられる。たとえば、探索の始点に対応する列９０８において、深い探索はＯＮ状態を２回（要素９０６における第１の走査と要素９１０における第２の走査において）、ＯＦＦ状態を１回（要素９１２に対応する第３の走査において）検出しており、そのためＳＦＮ＝５０に対する最終決定は「１」またはＯＮとなる。次いで、最終のビットストリングがミューティングシーケンスおよびＰＲＳオケージョン期間を決定する。
【０１２６】
[00105]図１０は、種々のシステム帯域幅のオプションと関連づけられるパイロットを示す説明図１０００を示している。２０ＭＨｚのシステム帯域幅のオプションは、それぞれ１２のパイロットで１００のＲＢを有し、図１０において１２００のパイロットの全範囲を使用する。ＰＲＳ検出用の一構成は、図１０において１０１２で示される、６ＲＢの最小ＰＲＳ帯域幅の仮説で開始して、ＰＲＳを連続的に探索する。ＰＲＳ検出は、Ｓ／Ｓ＋Ｎの計算およびしきい値処理に基づき得る。ＰＲＳが、より低い帯域幅のオプションに対して検出される場合、アルゴリズムは、システム帯域幅とマッチするＰＲＳ帯域幅の仮説を含むまで、次のより高いＰＲＳ帯域幅の仮説に移動する。
【０１２７】
[00106]Ｓ／Ｓ＋Ｎを計算するためにより高いＰＲＳ帯域幅に割り当てられたすべてのＲＢを使用する代わりに、アルゴリズムは、近隣のより低いＰＲＳ帯域幅の仮説と重複しない外側のＲＢのみを使用し得る。たとえば、外側の９のＲＢ（１０１０）のみを使用し、中心の６のＲＢ（１０１２）を除外して、３ＭＨｚのＰＲＳの仮説がテストされる。ＰＲＳ帯域幅が３ＭＨｚ以上である場合、このＰＲＳ帯域幅の仮説のＳ／Ｓ＋Ｎは、１．４ＭＨｚの仮説のＳ／Ｓ＋Ｎと同等になると予想される。しかしながら、ＰＲＳ帯域幅が実際に１．４ＭＨｚであった場合、外側の９のＲＢは雑音またはランダムデータを含むため、３ＭＨｚのＰＲＳ帯域幅の仮説のＳ／Ｓ＋Ｎの値は、１．４ＭＨｚの仮説よりもかなり低くなる。同様に、５ＭＨｚのＰＲＳ帯域幅の仮説は３ＭＨｚを中心とする外側の１０のＲＢ（１００８）のみを使用し、１０ＭＨｚの仮説は５ＭＨｚを中心とする２５の外側のＲＢ（１００６）のみを使用し、１５ＭＨｚの仮説は１０ＭＨｚを中心とする外側の２５のＲＢ（１００４）のみを使用し、２０ＭＨｚの仮説は、１５ＭＨｚを中心とする２５の外側のＲＢ（１００２）を使用することになる。
【０１２８】
[00107]ハードウェア実装例
[00108]図１１は、位置特定システム１１１４を採用する装置１１００のためのハードウェア実装形態の一例を示す図である。位置特定システム１１１４は、バス１１２４によって概略的に表されるバスアーキテクチャを用いて実装され得る。バス１１２４は、位置特定システム１１１４の特定の適用例および全体的な設計制約に応じて、任意の数の相互接続するバスおよびブリッジを含み得る。バス１１２４は、プロセッサ１１２６、送信モジュール１１０２、受信モジュール１１０４、同期モジュール１１０６、およびコンピュータ可読媒体１１２８によって表される、１つまたは複数のプロセッサおよび／またはハードウェアモジュールを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上は説明されない。
【０１２９】
[00109]本装置は、トランシーバ１１２２に結合された位置特定システム１１１４を含む。トランシーバ１１２２は、１つまたは複数のアンテナ１１２０に結合される。トランシーバ１１２２は、伝送媒体を通じて様々な他の装置と通信するための手段を提供する。位置特定システム１１１４は、コンピュータ可読媒体１１２８に結合されたプロセッサ１１２６を含む。プロセッサ１１２６は、コンピュータ可読媒体１１２８上に記憶されたソフトウェアの実行を含む、一般的な処理に関与する。ソフトウェアは、プロセッサ１１２６によって実行されたとき、位置特定システム１１１４に、特定の装置のための上述した様々な機能を実行させる。コンピュータ可読媒体１１２８はまた、ソフトウェアを実行するときにプロセッサ１１２６によって操作されるデータを記憶するためにも使用され得る。
【０１３０】
[00110]送信モジュール１１０２、受信モジュール１１０４、および同期モジュール１１０６は、プロセッサ１１２６中で動作するか、コンピュータ可読媒体１１２８中に常駐する／記憶されたソフトウェアモジュールであるか、プロセッサ１１２６に結合された１つまたは複数のハードウェアモジュールであるか、またはそれらの何らかの組合せであり得る。位置特定システム１１１４は、ユーザ機器２５０の構成要素、および／またはアクセスポイント２１０の構成要素であり得、メモリ２４２、２７２、および／またはコントローラ／プロセッサ２４０、２７０を含み得る。
【０１３１】
[00111]一構成において、本開示による装置は、入力信号の各サブフレームの所定の位置におけるＰＲＳピークおよび／またはＳ／Ｓ＋Ｎのエネルギー応答を推定するための手段を含む。本開示の一態様において、推定する手段は、推定する手段によって具陳された機能を実施するように構成された装置１１００のユーザ機器２５０、メモリ２７２、コントローラ／プロセッサ２７０、および／または位置特定システム１１１４であり得る。この構成において、装置はまた、推定されたＰＲＳピークエネルギー応答に少なくとも部分的に基づいてＰＲＳパラメータをブラインド検出するための手段を含む。本開示の一態様において、検出する手段は、検出する手段によって具陳された機能を実施するように構成された装置１１００のユーザ機器２５０、メモリ２７２、コントローラ／プロセッサ２７０、および／または位置特定システム１１１４であり得る。別の態様において、上述の手段は、上述の手段によって具陳された機能を実施するように構成された任意のモジュールまたは任意の装置であり得る。
【０１３２】
[00112]フローチャート
[00113]図１２は、本開示の一態様による方法１２００を示すフローチャートである。ブロック１２０２において、ＰＲＳエネルギーが、入力信号の各サブフレームの所定のロケーションにおいて推定される。ブロック１２０４において、ＰＲＳパラメータが、推定されたＰＲＳエネルギーに少なくとも部分的に基づいてブラインド検出される。ＰＲＳエネルギーは、ＰＲＳピークエネルギー応答および／またはＳ／Ｓ＋Ｎエネルギーであり得る。
【０１３３】
[00114]さらに、本明細書の開示に関連して説明した様々な例示的な論理ブロック、モジュール、回路、およびアルゴリズムステップは、ハードウェア、ソフトウェア／ファームウェア、またはそれらの組合せとして実装され得ることを、当業者は諒解されよう。ハードウェアとソフトウェアのこの互換性を明確に示すために、様々な例示的な構成要素、ブロック、モジュール、回路、およびステップが、概してそれらの機能に関して上記で説明されている。そのような機能性がハードウェアとして実装されるか、またはソフトウェアとして実装されるかは、システム全体に課される特定のアプリケーションおよび設計制約に依存する。当業者は、説明した機能性を特定の適用例ごとに様々な方法で実装し得るが、そのような実装の決定は、本開示の範囲からの逸脱を生じるものと解釈すべきではない。
【０１３４】
[00115]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアに関連する１つまたは複数のマイクロプロセッサ、または任意の他のそのような構成としても実施され得る。
【０１３５】
[00116]本明細書で開示される実施形態に関連して説明される方法またはアルゴリズムのステップは、ハードウェアで直接的に、プロセッサによって実行されるソフトウェアモジュールで、またはその２つ組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ（ＰＣＭ）、レジスタ、ハードディスク、リムーバブルディスク、ＣＤ−ＲＯＭ、または当技術分野で知られている任意の他の形態の記憶媒体中に常駐し得る。例示的記憶媒体は、プロセッサが記憶媒体から情報を読み取り、記憶媒体に情報を書き込むことができるようにプロセッサに結合される。代替実施形態では、記憶媒体はプロセッサと一体であり得る。プロセッサおよび記憶媒体はＡＳＩＣ内にあり得る。ＡＳＩＣはユーザ端末内にあり得る。代替として、プロセッサおよび記憶媒体は、ユーザ端末中の個別構成要素として存在し得る。
【０１３６】
[00117]１つまたは複数の例示的な設計では、説明した機能は、ハードウェア、ソフトウェア／ファームウェア、またはそれらの組合せで実装され得る。ソフトウェア／ファームウェアで実装した場合、機能は、１つもしくは複数の命令もしくはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。さらに、任意の接続がコンピュータ可読媒体と適切に呼ばれる。たとえば、ソフトウェアが、同軸ケーブル、光ファイバケーブル、撚線対、デジタル加入者線（ＤＳＬ）、または赤外線、無線、マイクロ波などのワイヤレス技術を使用して、ウェブサイト、サーバ、または他のリモートソースから送信される場合、同軸ケーブル、光ファイバケーブル、撚線対、ＤＳＬ、または赤外線、無線、マイクロ波などのワイヤレス技術が、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上述の組合せもコンピュータ可読媒体の範囲内に含まれるべきである。
【０１３７】
[00118]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2016533130.tif 000023
【図２】
2016533130.tif 000024
【図３】
2016533130.tif 000025
【図４】
2016533130.tif 000026
【図５】
2016533130.tif 000027
【図６】
2016533130.tif 000028
【図７】
2016533130.tif 000029
【図８】
2016533130.tif 000030
【図９】
2016533130.tif 000031
【図１０】
2016533130.tif 000032
【図１１】
2016533130.tif 000033
【図１２】
2016533130.tif 000034
【国際調査報告】
2016533130.tif 000035